(57)【要約】【課題】  機密保持モードが設定された場合、使用済みのマスタにより他の人が画像を再現することを確実に防止できるようにする。【解決手段】  機密保持モードが設定されている場合には、制御手段は印刷が終了したら直ちに排版装置６を制御してその印刷に使用した使用済みのマスタ８ｂを印刷ドラム２から剥離排版する工程を実行する。使用済みのマスタ８ｂを剥離して排版ボックス２８に収容しても、他の人が排版ボックス２８から取り出せば既述のように容易に画像の読み取り又は再現ができる。これを防止するために、排版ボックス２８の収容量の如何に拘わらず排版満杯の警告表示を行い、オペレータに排版ボックス２８内の使用済みのマスタ８ｂの廃棄処理操作を促す。オペレータが廃棄処理をするまで警告表示は消えず、そのままの状態で次の操作には進めない。【選択図】      図１
2005153477.tif 000002
【特許請求の範囲】
【請求項１】
画像情報に基づいて製版された孔版原紙を印刷ドラムの外周面に巻装して印刷を行い、使用済みの孔版原紙は排版装置により上記印刷ドラムから剥離排版し、上記印刷ドラムに孔版原紙が巻装されていない状態では印刷を実行できないように設けられた孔版印刷装置において、
機密保持モードを設定する機密保持モード設定手段と、機密保持モードが設定された場合、指定枚数の印刷が終了した後直ちに自動的に上記印刷ドラム上の使用済みの孔版原紙を剥離排版してそのままの状態を維持するように制御する制御手段を有していることを特徴とする孔版印刷装置。
【請求項２】
請求項１記載の孔版印刷装置において、
機密保持モードが指定枚数の印刷が終了した後に設定された場合、上記制御手段は設定された後直ちに自動的に上記印刷ドラム上の使用済みの孔版原紙を剥離排版してそのままの状態を維持するように制御することを特徴とする孔版印刷装置。
【請求項３】
請求項１又は２記載の孔版印刷装置において、
上記印刷ドラム上の使用済みの孔版原紙を自動的に剥離排版する前に、該孔版原紙による追加印刷ができなくなる旨の警告を行う警告手段を有していることを特徴とする孔版印刷装置。
【請求項４】
請求項１乃至３のうちの何れか１つに記載の孔版印刷装置において、
上記制御手段は、機密保持モード対象の使用済みの孔版原紙を排版する工程を実行した後上記排版装置に収容された使用済み孔版原紙の廃棄処理を行わないと次の操作ができないように制御することを特徴とする孔版印刷装置。
【請求項５】
請求項４記載の孔版印刷装置において、
上記廃棄処理を、上記排版装置における排版量が満杯である旨の表示によって促すことを特徴とする孔版印刷装置。
【請求項６】
請求項１乃至３のうちの何れか１つに記載の孔版印刷装置において、
上記排版装置が、排版された孔版原紙を収納する着脱自在な排版収納部材を有しているとともに該排版収納部材の有無を検知する排版収納部材検知手段を有し、上記制御手段は、機密保持モードが設定された場合には、上記印刷ドラム上の使用済みの孔版原紙の剥離排版を実行する前に、上記排版収納部材を取り出すことを促し、上記排版収納部材が取り出されたことが上記排版収納部材検知手段からの検知情報により確認された後剥離排版を実行することを特徴とする孔版印刷装置。
【請求項７】
請求項６記載の孔版印刷装置において、
上記排版装置が、上記排版収納部材に使用済みの孔版原紙を収納する前に該孔版原紙を圧縮する構成を有していることを特徴とする孔版印刷装置。
【請求項８】
請求項６又は７記載の孔版印刷装置において、
上記排版収納部材を取り出した後機密原紙専用収納部材を装着し、該機密原紙専用収納部材に剥離排版された使用済みの孔版原紙を収納することを特徴とする孔版印刷装置。
【請求項９】
請求項８記載の孔版印刷装置において、
上記機密原紙専用収納部材が、専用の鍵により開けるロック構成を有していることを特徴とする孔版印刷装置。
【請求項１０】
請求項８記載の孔版印刷装置において、
上記機密原紙専用収納部材が、折り曲げ可能なシート状部材により構成され、剥離排版された使用済みの孔版原紙と共に廃棄処理されることを特徴とする孔版印刷装置。
【請求項１１】
請求項８乃至１０のうちの何れか１つに記載の孔版印刷装置において、
上記排版収納部材の装着部を開閉するカバーと、該カバーの開閉状態を検知するカバー検知手段を有し、上記制御手段は上記カバー検知手段からの検知情報に基づいて上記機密原紙専用収納部材が装着されたかどうかを判断することを特徴とする孔版印刷装置。
【請求項１２】
孔版印刷装置の排版装置に装着され、排版された使用済みの孔版原紙を収納する着脱自在な排版収納部材において、
排版された使用済みの孔版原紙と共に廃棄処理できるように、折り曲げ可能なシート状部材により構成されていることを特徴とする排版収納部材。
【発明の詳細な説明】
【技術分野】
【０００１】
本発明は、画像情報に基づいて製版された孔版原紙（以下、「マスタ」という）を印刷ドラムの外周面に巻装して印刷を行う孔版印刷装置に関し、詳しくは、画像情報が機密情報を含む場合に他者が印刷内容を再現できないようにする機能を有する孔版印刷装置に関する。
【背景技術】
【０００２】
従来より、加熱穿孔製版したマスタを回転自在な印刷ドラム（版胴）の外周面に巻装し、印刷ドラム内部に設けられたインキ供給手段によりインキを供給し、プレスローラ等の押圧手段で記録媒体としての印刷用紙を印刷ドラムに連続的に押圧して、印刷ドラム開口部、マスタ穿孔部よりインキを滲み出させて印刷を行う感熱デジタル孔版印刷装置が知られている。
通常、印刷終了後は使用済みとなったマスタを印刷ドラムに巻装したまま次の製版まで放置される。マスタを剥離して放置した場合、印刷ドラムのインキが空気に触れて組成が変化し画質を低下させるとの理由からである。
このため、前の印刷で使用したマスタが印刷ドラムの外周面に巻装されたままであるので、他の人がその印刷ドラムのままで追加印刷をすれば、同じ印刷物を得ることができることになる。
【０００３】
このような現状は、機密を有する印刷物の場合には非常に重要な問題となる。機密印刷物としては、例えば学校でのテスト問題や成績等に関する文書などがある。
そこで、孔版印刷装置における機密保持のために、従来より幾つかの提案がなされてきた。それを以下に説明する。
特開昭５９−１９８１８５号公報には、機密保持モードが設定された場合、機密原稿の画像情報が製版されたマスタを印刷終了後に印刷ドラムから剥離排版し、その後新しい未製版のマスタを印刷ドラムに巻装して放置する方式が記載されている。
特開２００１−２１３０３９号公報には、機密保持モードが設定された場合、印刷終了後所定時間が経過するとマスタを印刷ドラムから剥離排版し、その後新しい未製版のマスタを印刷ドラムに巻装して放置する方式が記載されている。
特許第２７１６９６４号公報には、機密保持モードが設定された場合、印刷終了後は追加印刷ができないようにし、且つ、別原稿をセットして製版スタートキーで製版する場合のみ操作開始できるようにし、それ以外は電源スイッチをオフしても記憶していて追加印刷ができないようにした方式が記載されている。
【０００４】
特開２００２−８６８８２号公報には、機密保持モードが設定された場合、機密原稿の画像情報が製版されたマスタを剥離排版した後、加熱して製版画像を読み取ることができないようにする方式が記載されている。
特開２００２−７９７３５号公報には、鋭利な歯部を有する櫛歯状の排版搬送ロールや、鋭利なエッジ部を有する排版圧縮部材によって排版されたマスタに損傷を与え、読み取りを不能にする方式が記載されている。
これと類似のものに、排版時に排版されたマスタを細かく切断したり、溶剤で溶かしてしまう方式などがある。
【０００５】
【特許文献１】特開昭５９−１９８１８５号公報
【特許文献２】特開２００１−２１３０３９号公報
【特許文献３】特許第２７１６９６４号公報
【特許文献４】特開２００２−８６８８２号公報
【特許文献５】特開２００２−７９７３５号公報
【発明の開示】
【発明が解決しようとする課題】
【０００６】
上述した従来の各方式において、未製版のマスタを巻装する方式では、マスタを１版分無駄に消費してしまうので、マスタの消費コストの上昇を来たすという問題があった。
特許第２７１６９６４号公報に記載の方式では、追加の印刷はできなくても、ドラムユニットを取り出してその外周面に用紙を押し当てれば容易に画像を再現することができるという問題があった。
また、これらのいずれにおいても排版装置に剥離収容された使用済みのマスタを取り出し、これを広げれば逆像（鏡像）ではあるが画像を見ることができ、取り出した使用済みのマスタを用紙に挟んで圧力を加えれば濃度が薄いながらも残留インキにより画像をある程度再現することができるという問題があった。
【０００７】
排版部に加熱部を設ける方式では、コストアップはもちろんのこと、安全性の点で問題がある。
排版部に鋭利な回転体や揺動体を設ける方式では、安全性の上で問題があるとともに、使用済みのマスタが巻き付いたり絡みやすくなって排版搬送性を低下させる懸念があった。
シュレッダー様の切断機構を設ける方式では構成が複雑で高価になることを避けられず、溶剤で溶かす方式では作業が面倒で取り扱いにおいても注意を要するという問題があった。
【０００８】
そこで、本発明は、機密保持モードが設定された場合、使用済みのマスタにより他の人が画像を再現することを確実に防止できる孔版印刷装置の提供を、その主な目的とする。
【課題を解決するための手段】
【０００９】
機密保持モードで印刷を行った場合、オペレータは印刷に使用したマスタを自分自身でその場で確実に廃棄処理してしまわないことには本当に安心できない。機密保持モードを設定して自動的に処理するようにしてもそれはあくまでも機械任せであり、オペレータ自身が本当に納得できたことにはならない。オペレータ自身が確実に廃棄を確認できることが望ましい。本発明はこの考えの下創案されたものである。
具体的には、請求項１記載の発明では、画像情報に基づいて製版された孔版原紙を印刷ドラムの外周面に巻装して印刷を行い、使用済みの孔版原紙は排版装置により上記印刷ドラムから剥離排版し、上記印刷ドラムに孔版原紙が巻装されていない状態では印刷を実行できないように設けられた孔版印刷装置において、機密保持モードを設定する機密保持モード設定手段と、機密保持モードが設定された場合、指定枚数の印刷が終了した後直ちに自動的に上記印刷ドラム上の使用済みの孔版原紙を剥離排版してそのままの状態を維持するように制御する制御手段を有していることを特徴とする。
【００１０】
請求項２記載の発明では、請求項１記載の孔版印刷装置において、機密保持モードが指定枚数の印刷が終了した後に設定された場合、上記制御手段は設定された後直ちに自動的に上記印刷ドラム上の使用済みの孔版原紙を剥離排版してそのままの状態を維持するように制御することを特徴とする。
【００１１】
請求項３記載の発明では、請求項１又は２記載の孔版印刷装置において、上記印刷ドラム上の使用済みの孔版原紙を自動的に剥離排版する前に、該孔版原紙による追加印刷ができなくなる旨の警告を行う警告手段を有していることを特徴とする。
【００１２】
請求項４記載の発明では、請求項１乃至３のうちの何れか１つに記載の孔版印刷装置において、上記制御手段は、機密保持モード対象の使用済みの孔版原紙を排版する工程を実行した後上記排版装置に収容された使用済み孔版原紙の廃棄処理を行わないと次の操作ができないように制御することを特徴とする。
【００１３】
請求項５記載の発明では、請求項４記載の孔版印刷装置において、上記廃棄処理を、上記排版装置における排版量が満杯である旨の表示によって促すことを特徴とする。
【００１４】
請求項６記載の発明では、請求項１乃至３のうちの何れか１つに記載の孔版印刷装置において、上記排版装置が、排版された孔版原紙を収納する着脱自在な排版収納部材を有しているとともに該排版収納部材の有無を検知する排版収納部材検知手段を有し、上記制御手段は、機密保持モードが設定された場合には、上記印刷ドラム上の使用済みの孔版原紙の剥離排版を実行する前に、上記排版収納部材を取り出すことを促し、上記排版収納部材が取り出されたことが上記排版収納部材検知手段からの検知情報により確認された後剥離排版を実行することを特徴とする。
【００１５】
請求項７記載の発明では、請求項６記載の孔版印刷装置において、上記排版装置が、上記排版収納部材に使用済みの孔版原紙を収納する前に該孔版原紙を圧縮する構成を有していることを特徴とする。
【００１６】
請求項８記載の発明では、請求項６又は７記載の孔版印刷装置において、上記排版収納部材を取り出した後機密原紙専用収納部材を装着し、該機密原紙専用収納部材に剥離排版された使用済みの孔版原紙を収納することを特徴とする。
【００１７】
請求項９記載の発明では、請求項８記載の孔版印刷装置において、上記機密原紙専用収納部材が、専用の鍵により開けるロック構成を有していることを特徴とする。
【００１８】
請求項１０記載の発明では、請求項８記載の孔版印刷装置において、上記機密原紙専用収納部材が、折り曲げ可能なシート状部材により構成され、剥離排版された使用済みの孔版原紙と共に廃棄処理されることを特徴とする。
【００１９】
請求項１１記載の発明では、請求項８乃至１０のうちの何れか１つに記載の孔版印刷装置において、上記排版収納部材の装着部を開閉するカバーと、該カバーの開閉状態を検知するカバー検知手段を有し、上記制御手段は上記カバー検知手段からの検知情報に基づいて上記機密原紙専用収納部材が装着されたかどうかを判断することを特徴とする。
【００２０】
請求項１２記載の発明では、孔版印刷装置の排版装置に装着され、排版された使用済みの孔版原紙を収納する着脱自在な排版収納部材において、排版された使用済みの孔版原紙と共に廃棄処理できるように、折り曲げ可能なシート状部材により構成されていることを特徴とする。
【発明の効果】
【００２１】
請求項１記載の発明によれば、画像情報に基づいて製版された孔版原紙を印刷ドラムの外周面に巻装して印刷を行い、使用済みの孔版原紙は排版装置により上記印刷ドラムから剥離排版し、上記印刷ドラムに孔版原紙が巻装されていない状態では印刷を実行できないように設けられた孔版印刷装置において、機密保持モードを設定する機密保持モード設定手段と、機密保持モードが設定された場合、指定枚数の印刷が終了した後直ちに自動的に上記印刷ドラム上の使用済みの孔版原紙を剥離排版してそのままの状態を維持するように制御する制御手段を有していることとしたので、機密保持モード印刷に使用したマスタがその場で確実に排版処理されたことを、印刷終了直後にオペレータ自身が直接確認できるので、印刷終了後に安心してその場を離れることができる。機密保持モードを設定しても機械任せなので追加印刷されることなく確実に排版処理されたかどうか安心できないという従来の不安を払拭できる。
また、未製版のマスタを巻装しないので１版分無駄に消費してしまうことがなく、マスタの消費コストの上昇を抑制できる。
【００２２】
請求項２記載の発明によれば、請求項１記載の孔版印刷装置において、機密保持モードが指定枚数の印刷が終了した後に設定された場合、上記制御手段は設定された後直ちに自動的に上記印刷ドラム上の使用済みの孔版原紙を剥離排版してそのままの状態を維持するように制御することとしたので、オペレータが機密保持モードの設定を印刷前又は印刷中に忘れた場合でも追加印刷ができないようにすることができるので、装置使用上の柔軟性の向上を図ることができる。
【００２３】
請求項３記載の発明によれば、請求項１又は２記載の孔版印刷装置において、上記印刷ドラム上の使用済みの孔版原紙を自動的に剥離排版する前に、該孔版原紙による追加印刷ができなくなる旨の警告を行う警告手段を有していることとしたので、機密保持モードを設定した場合、オペレータが印刷枚数を誤って入力したときなどに、印刷終了後に自動的に排版されて追加印刷ができなくなる不具合を防止することができる。
【００２４】
請求項４記載の発明によれば、請求項１乃至３のうちの何れか１つに記載の孔版印刷装置において、上記制御手段は、機密保持モード対象の使用済みの孔版原紙を排版する工程を実行した後上記排版装置に収容された使用済み孔版原紙の廃棄処理を行わないと次の操作ができないように制御することとしたので、オペレータが自分で機密保持モードを設定した場合の使用済みのマスタの廃棄処理をオペレータ自身が必ずしなければならず、第三者が排版装置から機密保持対象の使用済みのマスタを取り出して画像を再現する等の行為を防止できる。
【００２５】
請求項５記載の発明によれば、請求項４記載の孔版印刷装置において、上記廃棄処理を、上記排版装置における排版量が満杯である旨の表示によって促すこととしたので、オペレータに廃棄処理させる表示を既存の要素を使って容易に行うことができる。
【００２６】
請求項６記載の発明によれば、請求項１乃至３のうちの何れか１つに記載の孔版印刷装置において、上記排版装置が、排版された孔版原紙を収納する着脱自在な排版収納部材を有しているとともに該排版収納部材の有無を検知する排版収納部材検知手段を有し、上記制御手段は、機密保持モードが設定された場合には、上記印刷ドラム上の使用済みの孔版原紙の剥離排版を実行する前に、上記排版収納部材を取り出すことを促し、上記排版収納部材が取り出されたことが上記排版収納部材検知手段からの検知情報により確認された後剥離排版を実行することとしたので、排版収納部材内のマスタはそのままにして機密保持対象のマスタのみを剥離して排出すことができるので、オペレータはその排出された１版のマスタのみを自分なりに機密に処理することができるようになり、目的の排版マスタを自分で確実に安心して処理することができる。
【００２７】
請求項７記載の発明によれば、請求項６記載の孔版印刷装置において、上記排版装置が、上記排版収納部材に使用済みの孔版原紙を収納する前に該孔版原紙を圧縮する構成を有していることとしたので、排版収納部材内のマスタはそのままにして機密保持の対象となるマスタを１版毎に圧縮してコンパクト化することができ、目的の排版マスタを自分で確実に安心して容易に処理することができる。
【００２８】
請求項８記載の発明によれば、請求項６又は７記載の孔版印刷装置において、上記排版収納部材を取り出した後機密原紙専用収納部材を装着し、該機密原紙専用収納部材に剥離排版された使用済みの孔版原紙を収納することとしたので、排版収納部材を交換するだけで排版マスタの機密管理を容易に行うことができる。
【００２９】
請求項９記載の発明によれば、請求項８記載の孔版印刷装置において、上記機密原紙専用収納部材が、専用の鍵により開けるロック構成を有していることとしたので、仮に機密保持対象の排版マスタを入れたまま機密原紙専用収納部材を装置の近傍に放置したとしても第三者が内部の排版マスタを取り出すことができないので、機密原紙専用収納部材内の排版マスタをより確実に管理することができる。
【００３０】
請求項１０記載の発明によれば、請求項８記載の孔版印刷装置において、上記機密原紙専用収納部材が、折り曲げ可能なシート状部材により構成され、剥離排版された使用済みの孔版原紙と共に廃棄処理されることとしたので、機密保持対象の排版マスタのみを手を汚すことなく容易に且つ低コストで廃棄処理できる。
【００３１】
請求項１１記載の発明によれば、請求項８乃至１０のうちの何れか１つに記載の孔版印刷装置において、上記排版収納部材の装着部を開閉するカバーと、該カバーの開閉状態を検知するカバー検知手段を有し、上記制御手段は上記カバー検知手段からの検知情報に基づいて上記機密原紙専用収納部材が装着されたかどうかを判断することとしたので、機密原紙専用収納部材が一定の形状を有しないものでも確実に装着されたことを検知することができる。
【００３２】
請求項１２記載の発明によれば、孔版印刷装置の排版装置に装着され、排版された使用済みの孔版原紙を収納する着脱自在な排版収納部材において、排版された使用済みの孔版原紙と共に廃棄処理できるように、折り曲げ可能なシート状部材により構成されていることとしたので、機密保持対象の排版マスタのみを手を汚すことなく容易に且つ低コストで廃棄処理できる。
【発明を実施するための最良の形態】
【００３３】
以下、本発明の第１の実施形態を図１乃至図３に基づいて説明する。
まず、図１に基づいて本実施形態における孔版印刷装置の構成及び印刷動作の概要を説明する。輪転式の孔版印刷装置１は、図示しない装置本体の略中央部に配置された印刷ドラム２と、該印刷ドラム２の図中右側上方に配置された製版装置３と、印刷ドラム２の右側下方に配置された給紙装置４と、印刷ドラム２の略真下に配置された押圧手段としてのプレスローラ５と、印刷ドラム２の左側に配置された排版装置６と、印刷ドラム２の内部に設けられたインキ供給手段７等を有している。
【００３４】
印刷ドラム２は、インキ通過性の多孔質構造の円筒体により構成され、その外周面の一部には製版済みのマスタ８ａの先端部を選択的に係止するクランパ９を有している。印刷ドラム２は図示しない電動機によって自身の中心軸線の周りに矢印で示す時計回り方向に回転駆動される。
インキ供給手段７は、インキ供給ローラ１０と、ドクタロッド１１と、印刷ドラム２の回転支軸を兼ねるインキ供給パイプ１２等を有している。インキ供給手段７は印刷ドラム２の回転に応じて印刷ドラム２の内周面へインキを供給する。
印刷ドラム２の外周面には、搬送方向先端部をクランパ９により挟持された製版済みのマスタ８ａがインキの粘性によって巻き付けられる。
印刷ドラム２を挟んでインキ供給ローラ１０と対向する部位にプレスローラ５が設けられている。プレスローラ５は図示しない接離機構により印刷ドラム２に対して選択的に接離され、印刷用紙１３を印刷ドラム２の外周面へ押し付け、印刷ドラム２と協働して孔版印刷を行うようになっている。
【００３５】
給紙装置４では、昇降自在な給紙トレイ１４に印刷用紙１３が積載収容されており、印刷用紙１３は給紙コロ１５及び図示しない分離部材により最上のものから順に１枚ずつ分離されて給紙される。給紙された印刷用紙１３はガイド板１６、１７により案内されてレジストローラ対１８に送られる。
印刷用紙１３はレジストローラ対１８で一旦停止されてスキューを修正され、印刷ドラム２上の画像と印刷用紙１３の搬送方向の所定位置とが一致するタイミングで印刷ドラム２とプレスローラ５間の印圧部に向けて送られる。
【００３６】
製版装置３には、ロール状に巻成された連続シート状のマスタ８を貯容するマスタ貯容部１９と、感熱式の製版手段としてのサーマルヘッド２０と、プラテンローラ２１と、カッタ２２と、給版ローラ対２３と、ガイド板２４等を有している。カッタ２２は、上刃２２ａと下刃２２ｂからなるギロチンタイプのものである。カッタ２２としては回転刃方式のものでもよい。
排版装置６は、使用済みのマスタ８ｂを印刷ドラム２から剥離する揺動可能な剥離ローラ２５と、剥離ローラ２５が剥離した使用済みのマスタ８ｂを搬送する一対の搬送ローラ２６、２７と、該搬送ローラ２６、２７により搬送された使用済みのマスタ８ｂを収容する排版ボックス２８と、該排版ボックス２８が収納されるボックス収納部２９と、使用済みのマスタ８ｂを排版ボックス２８内で圧縮するための圧縮部材３０等を有している。圧縮部材３０は図示しない駆動機構により上下方向に駆動される。
排版ボックス２８は図示しない装置本体に対して矢印方向に出し入れできるようになっている。すなわち、装置本体に対して着脱自在となっている。
【００３７】
図２は、操作パネル５０の一部を示している。操作パネル５０には、製版スタートキー５１、印刷スタートキー５２、ストップキー５３、テンキー５４、カウント表示部５５、機密保持モード設定手段としての機密保持キー５６、機密保持キー５６を押した場合に点灯するＬＥＤ５７、排版ボックス２８が満杯であることを表示するＬＥＤ５８、表示手段としての液晶表示部５９、確認キー６０等が設けられている。
【００３８】
孔版印刷装置１の印刷動作を、図３のフローチャートと共に説明する。例えば１枚の原稿があって機密を有する５０枚の印刷をしたい場合、図示しないスキャナ部に原稿をセットし、テンキー５４で枚数「５０」を入力して製版スタートキー５１を押す。
製版スタートキー５１が押されると（Ｓ１）、図示しない制御手段（孔版印刷装置１のメインコントローラが兼ねることができる）により排版装置６が駆動され、印刷ドラム２上の使用済みのマスタ８ｂを剥離する排版動作が実行される（Ｓ２）。すなわち、図１においてクランパ９による使用済みのマスタ８ｂの係止が解除され、印刷ドラム２の回転に伴って剥離ローラ２５が印刷ドラム２の表面に近接し、使用済みのマスタ８ｂはその先端部から剥離されて搬送ローラ２６、２７のニップに案内される。
使用済みのマスタ８ｂは搬送ローラ２６、２７によって排版ボックス２８の開口部に向けて送り込まれる。使用済みのマスタ８ｂが順次剥離されて搬送され、その全てが搬送ローラ２６、２７によって搬送されると、圧縮部材３０が下降を開始して排版ボックス２８に収容された使用済みのマスタ８ｂを下方に向けて圧縮し、押し潰す。
【００３９】
次に製版と版付け動作が行われる。すなわち、スキャナ部で原稿画像が光学的に読み取られ（Ｓ３）、その画像情報に従って製版装置３によりマスタ８へ穿孔製版が行われる（Ｓ４）。
製版されたマスタ８ａはその先端部をクランパ９により係止され、回転する印刷ドラム２の外周面に巻き付けられた後、所定の長さでの後端をカッタ２２により切断される。切断後マスタ８ａの後端部は引き出されて印刷ドラム２に対するマスタ８ａの着版が完了する（Ｓ５）。
次に、印刷ドラム２の回転に伴い、インキ供給ローラ１０とプレスローラ５が作動し、プレスローラ５と印刷ドラム２との間に１枚の印刷用紙１３が供給されて版付け印刷が行われる（Ｓ６）。
ここで、オペレータが１枚の版付け印刷物を確認してＯＫであれば、機密保持キー５６を押してＬＥＤ５７を点灯させてから印刷スタートキー５２を押す。上記制御手段は印刷スタートキー５２が押されたかどうかをチェックし（Ｓ７）、押されている場合には所定の５０枚の印刷が行われる（Ｓ８）。
この印刷中にも機密保持キー５６を押してＬＥＤ５７を点灯させることができる。すなわち、印刷中であっても機密保持モードを設定できる。
【００４０】
制御手段は機密保持モードが設定されているかどうかをチェックする（Ｓ９）。機密保持モードが設定されている場合には、制御手段は印刷が終了したら直ちに排版装置６を制御してその印刷に使用した使用済みのマスタ８ｂを印刷ドラム２から剥離排版する工程を実行してもよい。
この場合、排版後に未製版マスタを印刷ドラム２に巻き付ける動作は行わない。すなわち、剥離排版後そのままの状態を維持するように制御する。
現行の孔版印刷装置においては、よほど長期間に亘って未使用状態が続かない限り、印刷ドラム２の外周面にマスタが巻装されていない状態で放置されても、次の印刷で新しいマスタが巻装されれば特に問題なく新たな画像の印刷ができるからである。
なお、機密保持キー５６を押してＬＥＤ５７を点灯させる操作を、所定枚数の印刷終了後に行った場合には、制御手段は機密保持キー５６が押された直後の時点で直ちにその印刷に使用した使用済みのマスタ８ｂを印刷ドラム２から剥離排版する工程を実行する。すなわち、本実施形態では機密保持モードの設定を、印刷開始前、印刷中、印刷後の何れにおいてもできるようになっている。
【００４１】
使用済みのマスタ８ｂを一旦排版した後はそのマスタ８ｂを使用した印刷を続行することはできない。オペレータが印刷枚数を誤って認識したり入力したりする場合が考えられるので、本実施形態では所定枚数の印刷終了後直ちに使用済みのマスタ８ｂを排版せずに、一旦オペレータに対する確認表示を行うようになっている（Ｓ１０）。
この場合制御手段は、印刷が開始されて所定の５０枚の印刷が行われ、印刷が終了したら操作パネル５０の液晶表示部５９に、例えば「機密保持モード設定中のため追加印刷が不可になりますがＯＫですか？」なる旨を表示する。文字表示と同時に音（例えばブザー）を鳴らすようにしてもよい（以下の他の実施形態において同じ）。ここで、制御手段、液晶表示部５９は警告手段を構成する。
オペレータがＯＫであれば操作パネル５０上の確認キー６０を押す。制御手段は確認キー６０が押されたかどうかをチェックし（Ｓ１１）、押された場合には直ちにその印刷に使用した使用済みのマスタ８ｂを印刷ドラム２から剥離排版する工程を実行する（Ｓ１２）。
【００４２】
機密保持対象の使用済みのマスタ８ｂを剥離して排版ボックス２８に収容しても、他の人が排版ボックス２８から取り出せば既述のように容易に画像の読み取り又は再現ができる。
本実施形態ではこれを防止するために、オペレータ自身が機密保持対象の使用済みのマスタ８ｂをその場で確実に廃棄処理できるようになっている。通常、排版ボックス２８内の収容量が実際に満杯になったときに満杯検知センサからの検知情報により排版満杯のＬＥＤ５８が点灯し、これに対応してオペレータは排版ボックス２８を取り出して収容された使用済みのマスタ８ｂを廃棄するようになっている。
本実施形態では、機密保持対象の使用済みのマスタ８ｂを剥離して排版ボックス２８に収容した場合には、排版ボックス２８の収容量の如何に拘わらず、ＬＥＤ５８を点灯させて排版満杯の警告表示を行い、オペレータに排版ボックス２８内の使用済みのマスタ８ｂの廃棄処理操作を促す（Ｓ１３）。
【００４３】
通常の場合にはＬＥＤ５８は連続点灯であるが、機密保持モードの場合には点滅表示させてオペレータに注意を促す。排版満杯の警告表示後、制御手段は排版ボックス２８の着脱操作が行われたかどうかをチェックする（Ｓ１４）。
オペレータが排版ボックス２８内の使用済みのマスタ８ｂの廃棄処理操作を行わなければＬＥＤ５８の点滅表示が消えることはない。また、オペレータが廃棄処理を行わないと次の操作ができないようになっている。
このようにすることで、排版ボックス２８内に機密保持対象の使用済みのマスタ８ｂが残ることがないようにすることができる。
Ｓ９において、機密保持モードが設定されていない場合には、制御手段はその後機密保持キー５６が押されたかどうかをチェックする（Ｓ１５）。機密保持キー５６が押された場合には直ちにその印刷に使用した使用済みのマスタ８ｂを印刷ドラム２から剥離排版する工程を実行する（Ｓ１６）。
【００４４】
次に第２の実施形態を説明する。構成は上記実施形態と同様である。
機密保持モードが設定されている場合、上記実施形態では排版ボックス２８に収容された機密保持対象の使用済みのマスタ８ｂをオペレータに廃棄処理させるために、ＬＥＤ５８を点灯させて排版満杯の警告をする方式としたが、本実施形態では、制御手段は液晶表示部５９に、例えば「機密保持モード排版を行いますので排版ボックス２８を一時取り外して下さい」なる旨の表示をする。
このメッセージに基づいてオペレータは機密保持モードの排版がなされる前に排版ボックス２８を一時取り外す。すなわち、図１で示したボックス収納部２９を空の状態にする。図示しないが装置本体又はボックス収納部２９には排版ボックス２８のセットの有無を検知するセンサが設けられている。
【００４５】
制御手段は排版ボックス２８が取り外されたことを上記センサからの情報により確認したら、機密保持対象の使用済みのマスタ８ｂを印刷ドラム２から剥離排版する工程を実行する。使用済みのマスタ８ｂはボックス収納部２９に直接収容される。
このようにすることで、排版ボックス２８内に先に収容されていた使用済みのマスタ８ｂはそのままにして、機密の対象となる使用済みのマスタ８ｂのみを印刷ドラム２から剥離してボックス収納部２９に排出することができるので、オペレータはその排出された１版の使用済みのマスタ８ｂのみを自分なりに機密に処理することができる。
もちろん、ボックス収納部２９には安全用の外装カバーが設けられていて、内部には使用済みのマスタ８ｂの付着インキで汚れることを抑制するために表面凹凸処理が施されていてもよい。
【００４６】
図４及び図５に基づいて第３の実施形態を説明する。なお、上記実施形態と同一部分は同一符号で示し、特に必要がない限り既にした構成上及び機能上の説明は省略して要部のみ説明する（以下の他の実施形態において同じ）。
本実施形態では、排版ボックス２８に使用済みのマスタ８ｂを収納する前に該使用済みのマスタ８ｂを圧縮する構成を有していることを特徴とする。
搬送ローラ２６、２７の搬送方向下流側であって排版ボックス２８の開口部近傍には、歯車形状の一対の搬送ローラ７４、７５が設けられており、搬送ローラ７４、７５と搬送ローラ２６、２７の間には、上ガイド板７６と下ガイド板７７が設けられている。これらにより使用済みのマスタ８ｂを圧縮する空間が形成されている。剥離ローラ２５、搬送ローラ２６、２７、搬送ローラ７４、７５、上ガイド板７６と下ガイド板７７により圧縮機能を有する剥離排版搬送機構７０が構成されている。
【００４７】
剥離ローラ２５により使用済みのマスタ８ｂの端部がすくい上げられ（剥離され）搬送ローラ２６、２７により剥離・搬送されるとき、下流側の搬送ローラ７４、７５は回転しない。このため、使用済みのマスタ８ｂは上記空間で圧縮される。
圧縮が完了したら、搬送ローラ７４、７５が回転を始め、圧縮された使用済みのマスタ８ｂを噛み込みながら排版ボックス２８内に向けて排出する。
装置本体側には排版ボックス２８のセットの有無を検知するセンサ７９が設けられている。センサ７９は機械式でも光学式でもよい。排版ボックス２８の取り出し口（装着部外方）には軸８２を支点として上下方向に回動可能な外装カバー８１が設けられており、外装カバー８１の上部に対向する装置本体側には外装カバー８１の開閉を検知するセンサ８０が設けられている。センサ８０も機械式でも光学式でもよい。符号８１ａは取っ手を示す。
【００４８】
オペレータは１枚の版付け印刷物を確認してＯＫであれば、機密保持キー５６を押してＬＥＤ５７を点灯させてから印刷スタートキー５２を押す。これにより印刷が開始されて所定の５０枚の印刷が行われる。この印刷中にも機密保持キー５６を押してＬＥＤ５７を点灯させることができる。
機密保持モードが設定されているので、制御手段は操作パネル５０の液晶表示部５９に、例えば「機密保持モード排版を行いますので排版ボックス２８を一時取り外して下さい」なる旨の表示をする。
センサ７９がオフになって排版ボックス２８が取り外されたことが確認され、且つ、センサ８０からの情報により外装カバー８１が閉じられたことが確認されたら、図５に示すように、制御手段は剥離排版搬送機構７０を動作させて、機密保持対象の１版分の使用済みのマスタ８ｂを印刷ドラム２から排版して圧縮した上で、ボックス収納部８３上に排出する。
【００４９】
使用済みのマスタ８ｂが圧縮されて排出されたら、制御手段は液晶表示部５９に例えば「機密保持マスタを取り出して排版ボックス２８をセットして下さい」なる旨の表示をする。オペレータはこの表示に従って、外装カバー８１を開けて使用済みのマスタ８ｂを取り出した後、排版ボックス２８をセットし、外装カバー８１を閉じる。
制御手段はセンサ７９とセンサ８０からの情報に基づいて上記操作が確実になされたかどうかを確認する。
このようにすることで、排版ボックス２８内の先に収容された使用済みのマスタ８ｂはそのままにして、機密の対象となる使用済みのマスタ８ｂのみを印刷ドラム２から剥離してコンパクトに圧縮した上でボックス収納部８３に排出することができ、オペレータはその排出された１版の使用済みのマスタ８ｂのみを自分なりに機密に処理することができる。コンパクトに圧縮されているので、処理における取り扱いは非常に容易となる。
【００５０】
図６及び図７に基づいて第４の実施形態を説明する。
本実施形態では、通常使用する排版ボックス２８の他に、機密原紙専用収納部材としての排版ボックス８４を備えていることを特徴とする。
機密保持モードが設定されている場合、制御手段は操作パネル５０の液晶表示部５９に、例えば「機密保持モード排版を行いますので排版ボックス２８を一時取り外して機密用排版ボックスと交換して下さい」なる旨の表示をする。
センサ８０からの情報により外装カバー８１が一度開かれたことが確認され、センサ７９からの情報により排版ボックス２８が取り外されて（センサ７９オフ）機密用の排版ボックス８４がセットされたこと（センサ７９オン）が確認されたら、制御手段は剥離排版搬送機構７０を動作させ、図６に示すように、機密保持対象の１版分の使用済みのマスタ８ｂを印刷ドラム２の外周面から剥離排版して新たにセットされた排版ボックス８４に排出する。この場合、センサ８０は必ずしもオンにならなくてもよい。すなわち、外装カバー８１は開けたままでもよい。また、圧縮部材３０の昇降動作は行わないように制御される。
【００５１】
機密専用の排版ボックス８４は、その外形寸法は通常使用する排版ボックス２８と同じであるが、搬送ローラ７４、７５と相対する開口部８４ａ以外は密閉状態に側板で囲まれており、内部に収容された使用済みのマスタ８ｂを取り出すことはできないようになっている。
装着口側の側面８４ｂは軸８４ｃを支点に上下方向に回動可能に設けられており、その上部には係止凸部８５ａが設けられている。ボックス本体の上面には係止凸部８５ａを受け入れてロックするロック部材８５ｂが固定されており、係止凸部８５ａとロック部材８５ｂによりロック機構８５が構成されている。側面８４ｂを閉じると自動的にロックされるようになっている。
【００５２】
図７に示すように、ロック機構８５のロック状態は専用の鍵８７により解除されるようになっている。
機密保持対象の使用済みのマスタ８ｂが排版ボックス８４に収容されたら、オペレータは排版ボックス８４を取り外し、通常使用の排版ボックス２８を装着して外装カバー８１を閉じる。
排版ボックス８４内の使用済みのマスタ８ｂを廃棄処理する場合には鍵８７でロック状態を解除し、側面８４ｂを開放して取り出す。
このように、機密印刷時には、印刷終了後に必ず機密専用の排版ボックス８４に機密保持対象の使用済みのマスタ８ｂを収容するようにすれば使用済みのマスタ８ｂを第三者が確認することを完全に防止することができる。鍵８７は例えば専任者が管理するようにすればよい。
【００５３】
図８及び図９に基づいて第５の実施形態を説明する。
本実施形態では、第４の実施形態と同様に通常使用する排版ボックス２８の他に、機密原紙専用収納部材８６を備えていることを特徴としている。第４の実施形態と異なる点は、機密原紙専用収納部材８６が使用済みのマスタ８ｂと一緒に廃棄してもかまわないような非常にシンプルで低価格な素材で形成されていることである。
機密保持モードが設定されている場合、制御手段は操作パネル５０の液晶表示部５９に、例えば「機密保持モード排版を行いますので排版ボックス２８を一時取り外して機密原紙専用収納部材と交換して下さい」なる旨の表示をする。
センサ８０からの情報により外装カバー８１が一度開かれたことが確認され、センサ７９からの情報により排版ボックス２８が取り外されたこと（センサ７９オフ）が確認された後、センサ８０からの情報により外装カバー８１が閉じられたことが確認されたら、制御手段は剥離排版搬送機構７０を動作させ、図８に示すように、機密保持対象の１版分の使用済みのマスタ８ｂを印刷ドラム２の外周面から剥離排版して新たにセットされた機密原紙専用収納部材８６に排出する。この場合、圧縮部材３０の昇降動作は行わないように制御される。
【００５４】
機密原紙専用収納部材８６はダンボール材等の１枚の紙材（折り曲げ可能なシート状部材）で形成されており、使用するときに単に２箇所の折れ線８６ａ、８６ｂに沿って折り曲げ、ボックス収納部８３にセットし、外装カバー８１を閉じるだけである。もちろん折れ線８６ａ、８６ｂはなくても折り曲げることができる。
機密原紙専用収納部材８６としては、紙材の他にフェルトや種々の廃材を利用することができる。ボックス収納部８３で形状を保持できる程度の若干の厚さがあり、幅方向の寸法が使用済みのマスタ８ｂの幅方向寸法とほぼ同じであることが望ましい。
ボックス収納部８３にセットして外装カバー８１を閉じた場合、センサ７９はオフであっても制御手段は剥離排版搬送機構７０を動作させる。
【００５５】
オペレータは機密保持の排版が完了したら、機密原紙専用収納部材８６を取り出して通常使用の排版ボックス２８を戻した後外装カバー８１を閉じる。
取り出した機密原紙専用収納部材８６は、図９に示すように、使用済みのマスタ８ｂを包み込むようにコンパクトに折り畳み、使用済みのマスタ８ｂと共に廃棄処理する。もちろん使用済みのマスタ８ｂのみを廃棄処理するようにしてもよい。
このように本実施形態における機密原紙専用収納部材８６は使い捨てタイプを念頭においたものであり、これに対応して材質も低価格なものが選定される。換言すれば、機密原紙専用収納部材８６は、機密保持対象の使用済みのマスタ８ｂをオペレータが手を汚さずに包み込んで捨てることができるような機能を有していればよい。
【図面の簡単な説明】
【００５６】
【図１】本発明の第１の実施形態における孔版印刷装置の概要正面図である。
【図２】操作パネルの要部平面図である。
【図３】制御動作を示すフローチャートである。
【図４】第３の実施形態における排版装置の概要正面図である。
【図５】第３の実施形態において、排版ボックスを取り外して機密保持対象の使用済みのマスタを排出した状態を示す排版装置の概要正面図である。
【図６】第４の実施形態において機密原紙専用収納部材としての排版ボックスをセットして機密保持対象の使用済みのマスタを排出した状態を示す排版装置の概要正面図である。
【図７】第４の実施形態において機密原紙専用収納部材としての排版ボックスのロック機構及びその解除構成を示す概要正面図である。
【図８】第５の実施形態においてシート状の機密原紙専用収納部材をセットして機密保持対象の使用済みのマスタを排出した状態を示す排版装置の概要正面図である。
【図９】第５の実施形態においてシート状の機密原紙専用収納部材を取り出して使用済みのマスタを包み込んだ状態を示す概要正面図である。
【符号の説明】
【００５７】
２  印刷ドラム
６  排版装置
８ａ  製版された孔版原紙としてのマスタ
８ｂ  使用済みの孔版原紙としてのマスタ
２８  排版収納部材としての排版ボックス
５６  機密保持モード設定手段としての機密保持キー
７９  排版収納部材検知手段としてのセンサ
８０  カバー検知手段としてのセンサ
８１  カバーとしての外装カバー
８４  後機密原紙専用収納部材としての排版ボックス
８５  ロック構成としてのロック機構
８６  機密原紙専用収納部材
８７  鍵
【図１】
2005153477.tif 000003
【図２】
2005153477.tif 000004
【図３】
2005153477.tif 000005
【図４】
2005153477.tif 000006
【図５】
2005153477.tif 000007
【図６】
2005153477.tif 000008
【図７】
2005153477.tif 000009
【図８】
2005153477.tif 000010
【図９】
2005153477.tif 000011